(57)【要約】      （修正有）【課題】自動停止装置付き自動車の前部に設置して、進入禁止道路口からの自動車進入の防止を図らい、逆走行に依る事故等を未然に防止する事を可能にした逆走防止装置を提供する。【解決手段】一方向走行道路の出口側から進入する逆走行自動車を防止する装置で、電磁波、又は超音波、又は光を利用して信号の送・受信に依り、自動車の自動停止装置６を駆動する手段として、自動車の自動停止装置６を駆動する為の制御信号を作る駆動信号制御部１４、駆動信号制御部１４に必要な電気信号を作る増幅回路部１３、増幅回路部１３に必要な電気信号に変換する受信部１２、受信部１２にて電磁波、又は超音波、又は光を受け取る為の受信アンテナ又は受光素子部、受信アンテナ又は受光素子に電磁波、又は超音波、又は光を発する送信アンテナ又は発光素子部、送信アンテナ又は発光素子部に信号を送る自動車高速道路など、一方向走行道路の出口側に設置する送信部１を備える。【選択図】図３
0003198364.tif 000002
【実用新案登録請求の範囲】
【請求項１】
本考案は、自動車高速道路など、一方向走行道路の出口側から進入する逆走行自動車を防止する装置で、電磁波を利用して信号の送・受信に依り、自動車の自動停止装置を駆動する事を手段として、自動車の自動停止装置を駆動する信号を送る駆動信号出力部と(図3の14)、前記の駆動信号出力部に信号を送る増幅部と(図3の13)、前記の増幅部に信号を送る受信部と(図3の12)、前記の受信部に信号を送る受信アンテナ部と(図3の3)、前記の受信アンテナに電磁波等を発する送信アンテナ部と(図3の2)、前記の送信アンテナ部に信号を送る送信部(図3の1)を備える逆走防止装置。
【請求項２】
本考案は、前記「請求項１」の電磁波の送・受信方式以外の感知方法で、道路出口側の進入禁止標識を利用して標識感知機能センサーに依り、自動車の自動停止装置を駆動する事を手段として、自動車の自動停止装置を駆動する信号を送る駆動信号出力部と(図4の17)、前記の信号出力部に信号を送る増幅部と(図4の16)、前記の増幅部に信号を送る画像処理部と(図4の15)、前記の画像処理部に信号を送る標識感知部（赤外線カメラ等）(図4の8)を備える逆走防止装置。
【考案の詳細な説明】
【技術分野】
【０００１】
自動車専用道路（含む、高速自動車道路）及び進入禁止道路に、逆走する自動車があり、重大事故につながる危険性が高い事に関するものである。
【０００２】
本来自動車走行に於いて、中央分離帯のある道路、及び一方通行道路では、一方向走行であり、道路の出口には進入禁止標識がある。
この進入禁止標識を自動車運転者が無視か、またはうっかりミス等に依り進入禁止道路口（一方通行道路等の出口）から自動車を走行する事で逆走状態と成り、対向車との正面衝突事故・接触事故などを起こす事に関するものである。
【０００３】
進入禁止標識を無視か、またはうっかりミス等をしても、自動車運転者の意志に反して自動車を強制停止する事により逆走を防止して、事故を未然に防ぐことが出来る事に関するものである。
【背景技術】
【０００４】
進入禁止標識を標識感知器（カメラなど）で感知した信号を利用する方法、又は送信部を設けて電磁波信号を送信して、受信部で受けた電磁波信号を利用する方法、をもって、自動車の自動停止装置を駆動することに依り、自動車の強制停止を行い、進入走行を防ぐ利点をもつ逆走防止装置である。
【０００５】
本考案の逆走防止装置その１、
電磁波信号（電波信号、超音波信号、赤外線信号など）を利用した、送信・受信装置を備えた逆走防止装置である。
【０００６】
本考案の逆走防止装置その２、
進入禁止標識を利用した、標識感知装置を備えた逆走防止装置である。
【考案の概要】
【考案が解決しようとする課題】
【０００７】
高速自動車道路に於いて、逆走車両に依る事故が多発している原因の一つは、サービスエリアなどから本線に戻るとき、又は道路出口などからの進入禁止標識を無視など、誤って走行して、本線車道を逆走して、事故などに遭遇する。所謂、逆走行為である、この逆走行を未然に防止する事を課題とする。
【０００８】
本考案の逆走防止装置その１，
送信部と受信部を構成して、道路出口付近に設置した送信部から電磁波信号を送信し、受信部に於いて受信した電磁波信号を回路構築し、駆動信号で作動する方法を利用して自動車の自動停止装置を駆動する事を課題とする。
【０００９】
本考案の逆走防止装置その２，
進入禁止標識を感知して、画像処理等の回路構築を施し、駆動信号で作動する方法を利用して自動車の自動停止装置を駆動する事を課題とする。
【課題を解決するための手段】
【００１０】
本考案の逆走防止装置その１、
一方通行道路出口等、進入禁止道路口付近に、本考案の逆走防止装置の送信部を設置してその送信部から電磁波信号を送信する。
自動車前部付近に本考案の逆走防止装置の受信部本体を設置して、送信部からの電磁波信号を受信して、この信号から駆動信号を構築し、自動車の自動停止装置を働かせて、自動車の走行を停止する事を手段とする。
【００１１】
本考案の逆走防止装置その2、
進入禁止標識を感知して、画像処理等から駆動信号を構築し、自動車の自動停止装置を働かせて、自動車の走行を停止する事を手段とする。
【考案の効果】
【００１２】
本考案の逆走防止装置は一方通行道路出口等、進入禁止道路口から進入する自動車を自動停止装置により強制停止状態にして、走行を一時的に不可能にする事で逆走行を未然に防止する効果がある。
【図面の簡単な説明】
【００１３】
【図１】本考案の原理図その１である。
【図２】本考案の原理図その２である。
【図３】本考案の系統図その１である。
【図４】本考案の系統図その２である。
【考案を実施するための形態】
【００１４】
最近の自動車は、前方に車や人間などの障害物を感知して、自動停止装置が働き自動車を自動停止させる装置を備えている。  この自動停止装置を駆動する信号と同じ信号を、本考案の逆走防止装置から導入する事に依り、自動停止装置が働き、進入禁止道路口に於いては自動車の進入を防止する事が出来る。
【実施例１】
【００１５】
以下に本考案に係わる逆走防止装置その１、について説明する。
図１は、逆走防止装置その１、の原理図である。
図１に於いて、１は送信部、２は送信アンテナ、３は受信アンテナ、４は受信部を含む回路構築部、５は装置本体、６は自動停止装置、で構成される。
【実施例２】
【００１６】
以下に本考案に係わる逆走防止装置その２，について説明する。
図２は、逆走防止装置その2、の原理図である。
図２に於いて、７は進入禁止標識、８は標識感知部、９は画像処理を含む回路
構築部、１０は装置本体、６は自動停止装置、で構成される。
【実施例３】
【００１７】
図３は、逆走防止装置その１，の系統図である。
図３に於いて、１１は送信構築部、２は送信アンテナ、３は受信アンテナ、
１２は受信部、１３は増幅部、１４は駆動信号出力部、で構成される。
【実施例４】
【００１８】
図４は、逆走防止装置その２，の系統図である。
図４に於いて、７は進入禁止標識、８は標識感知部、１５は画像処理部、１６は増幅部、１７は駆動信号出力部、で構成される。
【産業上の利用可能性】
【００１９】
本考案の逆走防止装置は、自動停止装置付き自動車に付加する事で逆走行車
と正常走行車との衝突・接触事故を未然に防止出来る事に依り、安全な自動車
走行に利用する事を可能にした。
また、本考案の逆走防止装置の信号出力を、別途構成する事で、拡声器に連動
して音声で確認が可能、さらに、点滅表示器を付加して、目による視認性の向
上に利用する事も可能である。
また、2つ以上を併用する事でさらに安全度が高まる事が可能である。
【符号の説明】
【００２０】
１  送信部
２  送信アンテナ
３  受信アンテナ
４  回路構築部
５  逆走防止装置本体その１
６  自動停止装置（自動車付属の）
７  進入禁止標識
８  標識感知部（赤外線カメラ等）
９  回路構築部
１０  逆走防止装置本体その２
１１  送信回路構築部
１２  受信回路部
１３  増幅部
１４  駆動信号出力部
１５  画像処理部
１６  増幅部
１７  駆動信号出力部
【図１】
0003198364.tif 000003
【図２】
0003198364.tif 000004
【図３】
0003198364.tif 000005
【図４】
0003198364.tif 000006
【手続補正書】
【提出日】平成27年4月17日(2015.4.17)
【手続補正１】
【補正対象書類名】実用新案登録請求の範囲
【補正対象項目名】全文
【補正方法】変更
【補正の内容】
【実用新案登録請求の範囲】
【請求項１】
自動車高速道路など、一方向走行道路の出口側から進入する逆走行自動車を防止する装置で、電磁波、又は超音波、又は光を利用して信号の送・受信に依り、自動車の自動停止装置を駆動する手段として、自動車の自動停止装置を駆動する為の制御信号を作る駆動信号制御部、駆動信号制御部に必要な電気信号を作る増幅回路部、増幅回路部に必要な電気信号に変換する受信部、受信部にて電磁波、又は超音波、又は光を受け取る為の受信アンテナ又は受光素子部、受信アンテナ又は受光素子に電磁波、又は超音波、又は光を発する送信アンテナ又は発光素子部、送信アンテナ又は発光素子部に信号を送る自動車高速道路など、一方向走行道路の出口側に設置する送信部を備える逆走防止装置。
【手続補正２】
【補正対象書類名】明細書
【補正対象項目名】全文
【補正方法】変更
【補正の内容】
【考案の詳細な説明】
【技術分野】
【０００１】
自動車専用道路（含む、高速自動車道路）及び進入禁止道路に、逆走する自動車があり、重大事故につながる危険性が高い事に関するものである。
【０００２】
本来自動車走行に於いて、中央分離帯のある道路、及び一方通行道路では、一方向走行であり、道路の出口には進入禁止標識がある。
この進入禁止標識を自動車運転者が無視か、またはうっかりミス等に依り進入禁止道路口（一方通行道路等の出口）から自動車を走行する事で逆走状態と成り、対向車との正面衝突事故・接触事故などを起こす事に関するものである。
【０００３】
進入禁止標識を無視か、またはうっかりミス等をしても、自動車運転者の意志に反して自動車を強制停止する事により逆走を防止して、事故を未然に防ぐことが出来る事に関するものである。
【背景技術】
【０００４】
一方通行道路出口等、進入禁止道路口付近に、送信部を設けて電磁波信号を送信して、受信部で受けた電磁波信号を利用する方法をもって、自動車の自動停止装置を駆動することに依り、自動車の強制停止を行う、及び警告表示器を用いて注意を認識し、進入走行を防ぐ利点をもつ逆走防止装置である。
【０００５】
本考案の逆走防止装置
電磁波信号（電波信号、超音波信号、赤外線信号など）を利用した、送信・受信装置を備えた逆走防止装置である。
【考案の概要】
【考案が解決しようとする課題】
【０００６】
高速自動車道路に於いて、逆走車両に依る事故が多発している原因の一つは、サービスエリアなどから本線に戻るとき、又は道路出口などからの進入禁止標識を無視など、誤って走行して、本線車道を逆走して、事故などに遭遇する。所謂、逆走行為である、この逆走行を未然に防止する事を課題とする。
【０００７】
本考案の逆走防止装置
送信部と受信部を構成して、道路出口付近に設置した送信部から電磁波信号を送信し、受信部に於いて受信した電磁波信号を回路構築し、駆動信号で作動する方法を利用して自動車の自動停止装置を駆動する事、及び警告表示器を用いて注意を認識する事を課題とする。
【課題を解決するための手段】
【０００８】
本考案の逆走防止装置
一方通行道路出口等、進入禁止道路口付近に、本考案の逆走防止装置の送信部を設置してその送信部から電磁波信号を送信する。
自動車前部付近に本考案の逆走防止装置の受信部本体を設置して、送信部からの電磁波信号を受信して、この信号から駆動信号を構築し、自動車の自動停止装置を働かせて、自動車の走行を停止する事、及び警告表示器を用いて注意を認識する事を手段とする。
【考案の効果】
【０００９】
本考案の逆走防止装置は一方通行道路出口等、進入禁止道路口から進入する自動車を自動停止装置により強制停止状態にして、走行を一時的に不可能にする事で逆走行を未然に防止する効果がある。
【図面の簡単な説明】
【００１０】
【図１】本考案の原理図である。
【図２】本考案の系統図である。
【考案を実施するための形態】
【００１１】
最近の自動車は、前方に車や人間などの障害物を感知して、自動停止装置が働き自動車を自動停止させる装置を備えている。  この自動停止装置を駆動する信号と同じ信号を、本考案の逆走防止装置から導入する事に依り、自動停止装置が働き、進入禁止道路口に於いては自動車の進入を防止する事が出来る。
【実施例１】
【００１２】
以下に本考案に係わる逆走防止装置について説明する。
図１は、逆走防止装置その１、の原理図である。
図１に於いて、１は送信部、２は送信素子、３は受信素子、４は受信部を含む回路構築部、５は装置本体、６は自動停止装置、で構成される。
【実施例２】
【００１３】
図２は、逆走防止装置その１，の系統図である。
図２に於いて、１１は送信構築部、２は送信素子、３は受信素子、１２は受信部、１３は増幅部、１４は駆動信号出力部及び警告表示部、で構成される。
【産業上の利用可能性】
【００１４】
本考案の逆走防止装置は、自動停止装置付き自動車に付加する事で逆走行車
と正常走行車との衝突・接触事故を未然に防止出来る事に依り、安全な自動車
走行に利用する事を可能にした。
また、本考案の逆走防止装置の信号出力を、警告表示器に依り音声及び点滅表示
で警告注意を認識する事が可能である。
【符号の説明】
【００１５】
１  送信部
２  送信素子
３  受信素子
４  回路構築部
５  逆走防止装置本体
６  自動停止装置（自動車付属の）
１１  送信回路構築部
１２  受信回路部
１３  増幅部
１４  駆動信号出力部及び警告表示部
【手続補正３】
【補正対象書類名】図面
【補正対象項目名】全図
【補正方法】変更
【補正の内容】
【図１】
0003198364.tif 000007
【図２】
0003198364.tif 000008